(57)【特許請求の範囲】
【請求項１】
上レールと、中子と桟と下金具を備え、上レールは、天井に固定してあり、中子は上レールに固定してあり、下金具は、中子の下の床に固定してあり、桟は両端に上キャップと下キャップを有し、上キャップは、中子を受け入れる凹部が設けてあり、下キャップは、下金具を取り付ける被取付部を有し、桟は、倹飩式に中子と下金具に取り付けてあることを特徴とする間仕切り。
【請求項２】
幕板とパネルと連結材と下レールを備え、上レールは、間仕切りの上部全長に渡って設けてあるとともに、連結材は、上レールのパネルを取り付ける箇所に設けてあり、下レールは、床のパネルを取り付ける箇所に設けてあり、パネルは、連結材と下レールとに取り付けてあり、中子は、上レールの桟が取り付ける箇所に設けてあり、下金具は、床の桟を取り付ける箇所に設けてあり、上レールの全長に渡って前後から幕板が固定してあることを特徴とする請求項１記載の間仕切り。
【発明の詳細な説明】
【技術分野】
【０００１】
本発明は、室内あるいは室外を区画するための間仕切りに関するものである。
【背景技術】
【０００２】
間仕切りは、図１１のように、桟４１を複数取り付けてユニット化した格子体４０やパネルを現場に搬送し、天井４４と床４５の間に金具４２，４３などを用いて取り付けるものであった。  
【先行技術文献】
【特許文献】
【０００３】
【非特許文献１】「組立・施工手引書  スクリーンパーテーション格子調デザイン」  ＹＫＫＡＰ株式会社  ２０１１年  ７ページ
【発明の概要】
【発明が解決しようとする課題】
【０００４】
しかしながら、ユニット化された格子体やパネルなどの間仕切りは重量が嵩むため、現場までの搬送や取付作業などを複数人で行わなければならず、このことから、現場での施工に大変な手間と労力がかかるものであった。本発明は、上記課題を鑑みてなされたものであり、作業手間や労力がかからずに一人で施工ができる間仕切りを提供することにある。
【課題を解決するための手段】
【０００５】
本発明のうち請求項１記載の発明は、上レールと、中子と桟と下金具を備え、上レールは、天井に固定してあり、中子は上レールに固定してあり、下金具は、中子の下の床に固定してあり、桟は両端に上キャップと下キャップを有し、上キャップは、中子を受け入れる凹部が設けてあり、下キャップは、下金具を取り付ける被取付部を有し、桟は、倹飩式に中子と下金具に取り付けてあることを特徴とする。
【０００６】
本発明のうち請求項２記載の発明は、幕板とパネルと連結材と下レールを備え、上レールは、間仕切りの上部全長に渡って設けてあるとともに、連結材は、上レールのパネルを取り付ける箇所に設けてあり、下レールは、床のパネルを取り付ける箇所に設けてあり、パネルは、連結材と下レールとに取り付けてあり、中子は、上レールの桟を取り付ける箇所に設けてあり、下金具は、床の桟を取り付ける箇所に設けてあり、上レールの全長に渡って前後から幕板が固定してあることを特徴とする。
【発明の効果】
【０００７】
本発明のうち請求項１記載の発明によれば、桟の上キャップを天井に取り付けた上レールの中子に挿入するとともに、桟の下キャップを床面に取り付けた下金具に取り付けることにより、桟を倹飩式に取り付けて現場で組み立てるものであるから、作業者は軽い力で作業ができるので施工が容易となる。また、上レールに中子を取り付けてあることにより、天井に中子を取り付けることも容易になる。
【０００８】
本発明のうち請求項２記載の発明によれば、格子体とパネルを併用する間仕切りにおいて、上レールの長手方向に連続する幕板が取り付けてあることにより、上レールと桟とパネルの上端が共通する幕板で隠蔽されるので、間仕切りの意匠の統一感が生まれることになる。また、上レールを天井に取り付けるだけで間仕切り全体の位置決め及び格子体とパネルの一直線上の配置ができるので、別々の格子体とパネルを並べて施工するものよりも施工性が格段に向上する。
【図面の簡単な説明】
【０００９】
【図１】（ａ）は、図２中のＡ−Ａ線断面図であり、（ｂ）は、図２中のＢ−Ｂ線断面図であり、（ｃ）は、図２中のＣ−Ｃ線断面図である。
【図２】（ａ）は、本実施による間仕切りの全体正面図であり、（ｂ）は、上キャップの横断面図である。
【図３】（ａ）〜（ｄ）は、本実施による間仕切りの施工手順を示す縦断面図である。
【図４】（ａ）〜（ｄ）は、図３（ａ）〜（ｄ）の上キャップを横断面した図である。
【図５】本発明の他の実施形態を示す（ａ）は、図６中のＤ−Ｄ線断面図であり、（ｂ）は、図６中のＥ−Ｅ線断面図であり、（ｃ）は、図６中のＦ−Ｆ線断面図であり、（ｄ）は、図６中のＧ−Ｇ線断面図である。
【図６】本発明の他の実施形態を示す全体正面図である。
【図７】（ａ）〜（ｄ）は、図５に示す実施形態の間仕切りの施工手順を示す縦断面図である。
【図８】本発明の他の実施形態を示す（ａ）は、全体正面図であり、（ｂ）は、（ａ）中のＨ−Ｈ線横断面図であり、（ｃ）は、（ａ）中のＩ−Ｉ線断面図である。
【図９】本発明の他の実施形態を示す（ａ）は、全体正面図であり、（ｂ）は、（ａ）中のＪ−Ｊ線断面図であり、（ｃ）は、（ａ）中のＫ−Ｋ線断面図である。
【図１０】（ａ）（ｂ）は、本発明の他の実施形態を示す横断面図である。
【図１１】従来の間仕切りの施工を示す斜視図である。
【発明を実施するための形態】
【００１０】
以下に、図面に基づいて本実施による間仕切りの実施の形態を説明する。
本実施による間仕切りは、図１（ａ）〜（ｃ）と図２（ａ）のように、天井１０の上側に固定してある上レール１と、上レール１の長手方向に間隔をあけて複数取り付けてある中子２と、各中子２の下の床１１にそれぞれ固定してある下金具３と、上レール１と下金具３との間に取り付ける桟４とからなっている。上レール１は、一側と他側の外側見付け面に幕板５を取り付ける幕板取付部６が設けてあり、上レール１の見込方向の中央には、中子２をネジ７で固定する被固定部８が設けてある。幕板５は、略垂直な板材の上部内周側に略コ字型をなす上レール取付部５ａが設けてあり、上レール１の幕板取付部６に取り付けたときに、上レール１と桟４の隙間と中子２を外から隠蔽することができる。中子２は、断面略矩形状をなしており、上レール１から略垂直に延びている。下金具３は、見込方向に間隔をあけて起立する二枚の取付片３ａを有する側面視して略コ字型をなしており、床１１の各中子２と上下に対向する位置にネジ７で取り付けてある。桟４は、断面略矩形状をなす長尺な中空形材であり、長手方向の一端側には上キャップ１２を取り付けてあり、長手方向の他端側には下キャップ１３を取り付けてある。上キャップ１２は、図１（ａ）と図２（ｂ）のように、凹部１４を有しており、凹部１４は、桟４の見込み方向に長い長孔状に形成してあり、中子受け部２８と、中子受け部２８と連続する中子挿入空間２９を有しており、中子受け部２９を囲む壁部３０は、中子２を受け入れることから一側が開放した略コ字型をなしており、各壁部３０の内面３０ａが中子挿入空間２９に受け入れた中子２の外周面にそれぞれ面接触することにより、中子２を回転不能に固定するものである。
また、中子挿入空間２９から中子受け部２８に向かう両側の壁部３０は、それぞれが中子受け部２８側に向かうに従ってテーパー状に狭まっており、このテーパー部３１により中子挿入空間２９に挿入した中子２を中子受け部２８に受け入れやすく形成してある。また、中子挿入空間２９には、中子２を固定するための固定ピース１５が挿入され、固定ピース１５は、押さえ部１５ａとネジ差込部１５ｂと調整ネジ２７とからなっており、調整ネジ２７は、ネジ差込部１５ｂのネジ孔３２に出没自在に螺合してある。また、ネジ差込部１５ｂは、押さえ部１５ａに対して斜めに設けてあり、調整ネジ２７をネジ孔３２に差し込んだときに、中子２のコーナー部２ａに調整ネジ２７の先端を案内することができる。これにより、桟４の建て付け方向を９０°変えても固定ピース１５を固定したときに、隣りの桟４が邪魔にならずに調整ネジ２７をネジ止めすることができる。そして、固定ピース１５は、上キャップ１２の凹部１４の中子受け部２８に中子２が挿入された後、中子挿入空間２９に押さえ部１５ａを嵌合し、固定ピース１５の調整ネジ２７をネジ差込部１５ｂに差し込んで中子２の斜め方向からネジ込むことにより、調整ネジ２７が中子２のコーナー部２ａに当接して中子２と上キャップ１２間で突っ張り、桟４が中子受け部２８内でガタつくことなくしっかりと取付できるようにしてある。下キャップ１３は、図１（ｃ）のように、下部に下金具被取付部（被取付部）１６が設けてあり、桟４を落とし込んで下金具被取付部１６を下金具３に取り付ける。尚、図１中（ａ）（ｂ）の符号２６は、上レール１及び幕板５の端部カバー材である。
【００１１】
本実施による間仕切りの施工手順を図３（ａ）〜（ｄ）と図４（ａ）〜（ｄ）に基づいて説明する。
第一の手順として図３（ａ）のように、天井１０の内周側上部に予め中子２を固定してある上レール１をネジ７で固定し、床１１に下金具３をネジ７で固定し、図４（ａ）のように、桟４の上キャップ１２の凹部１４の中子挿入空間２９を上レール１の中子２に下方から挿し込む。第二の手順として図３（ｂ）のように、桟４の下キャップ１３を予め床１１に固定してある下金具３に落とし込むとともに、図４（ｂ）のように、桟４を起こしながら中子挿入空間２９にある中子２を中子受け部２８に移動させて倹飩式に取り付ける。第三の手順として図３（ｃ）と図４（ｃ）のように、桟４の上キャップ１２の凹部１４の中子挿入空間２９に固定ピース１５を入れ、さらに、図４（ｄ）のように、調整ネジ２７で固定ピース１５を中子２のコーナー部２ａと上キャップ１２の間で突っ張らせることにより、上キャップ１２と中子２を固定する。第四の手順として図３（ｄ）ように、上レール１の一側と他側の外側見付け面に設けてある幕板取付部６に幕板５の上レール取付部５ａをそれぞれ取り付けることにより、本実施による間仕切りの施工が完了する。
【００１２】
本発明の他の実施形態として、図５（ｃ）（ｄ）と図６のように、桟４とパネル１７を組み合わせた間仕切りがある。天井１０に取り付ける上レール１は、パネル１７を取り付ける箇所に連結材２０が取り付けてあり、連結材２０は、連結材２０の一側から垂下するパネル当接片２０ａと、パネル当接片２０ａと一側に間隔をあけた箇所から垂下するパネル係止片２０ｂを有している。また、床１１に取り付ける下レール２３は、断面略矩形状をなし、ネジ７で床１１に取り付けてある。桟４の取り付けについては、図５（ａ）〜（ｄ）と図６のように、上記実施形態と同様、桟４の上キャップ１２の凹部１４を上レール１の中子２に挿し込み、桟４の下キャップ１３を下金具３に倹飩式に取り付けるものである。パネル１７は、図７のように、ガラス板１８の四周を框で囲む構造をなしており、上框１７ａには、図５（ｂ）のように、上方に突出するレール係止部１９を有しており、下框１７ｂには、下レール２３を取り付ける溝状をなす下レール取付部２４を有している。また、連結材２０と下レール２３へのパネル１７の取付については、第一の手順として図７（ａ）のように、天井１０に上レール１と連結材２０を取り付けるとともに、上レール１と上下に対向する位置の床１１に下レール２３を取り付ける。第二の手順として図７（ｂ）のように、パネル１７の下框１７ｂに設けてある下レール取付部２４を下レール２３に取り付け、下レール２３を軸としてパネル１７を起こしていき、パネル１７の上框１７ａを連結材２０のパネル当接片２０ａに当接するとともに、パネル１７の上端に設けてあるレール係止部１９がパネル係止片２０ｂを乗り越えてラチェット式にパネル係止片２０ｂ係止する。第三の手順として図７（ｃ）のように、連結材２０のパネル当接片２０ａの一側または他側の外側見付け面側からネジ７を挿し込んでパネル１７の上框１７ａに固定し、連結材２０とパネル１７を固定する。第四の手順として、図７（ｄ）のように、上レール１の幕板取付部６に幕板５を取り付けることで、本実施による間仕切りの施工が完了する。尚、連結材２０は、本実施のものではパネル１７の見付け寸法と略同じ長さの長尺なものが使用されているが、パネル１７を上レール１に固定できればよいことから、短尺なものでもよい。
【００１３】
図８（ａ）〜（ｃ）は、本発明の他の実施形態として、断面形状が長方形の複数の桟４を交互に向きを変えて配置するように、桟４の上キャップ１２の凹部１４を中子２に挿入し、桟４の下キャップ１３を下金具３に取り付けたものである。このように、本実施形態の間仕切りは、桟４の側周面のいずれの面を一側または他側の見付け面にすることができるので、上記の断面長方形状のように見付け幅と見込み幅が相違する桟４や色の異なる桟４の中から、施主が好みの桟４の色や桟４の配置順、あるいは桟４の向きを自由に選んで施工できる。また、図９（ａ）〜（ｃ）は、本発明の他の実施形態として、桟４の両側にパネル１７をそれぞれ配置した間仕切りである。このように、本実施形態の間仕切りは、桟４やパネル１７の配置パターンを自由に変更できる。さらに、現場で桟４やパネル１７を個々に取り付けることができるため、現場に組み立て済みの間仕切りなどを持ち込まなくてもよく、現場で容易に施工できるため作業負担が少なく施工性が向上する。また、中子２を上キャップ１２で固定する手段として、上記実施形態では固定ピース１５を入れて調整ネジ２７で突っ張らせるものについて記載したが、固定する手段については他の手段であってもよく、例えば、中子挿入空間２９に固定ピース１５を入れ、桟４の周壁外側から調整ネジ２７を挿入して固定ピース１５を押して中子２を固定するものであってもよい。また、中子２の横断面形状は、上記実施形態では面取りされた八角形のものを挙げたが、このように、横断面が回転対称形状をなすものであれば、中子２が中子受け部２８の壁部３０の内面３０ａに面接触し、中子２をしっかりと固定できるようになる。また、桟４についても、上記実施形態のような長方形のもののように、見付け寸法と見込み寸法が相違するものであれば、桟４の建て付け方向を変えることで間仕切りの意匠を変えることができる。さらに、固定ピース１５が桟４の正面から調整ネジ２７で取り付けるものを使用したときには、桟４の向きを９０°変えて施工した場合に、調整ネジ２７を桟４の側面から取り付けなければならず、このことから、固定ピース１５を固定する桟４の隣りに別の桟４があるときには邪魔になるため、施工が困難となるが、上記実施形態のように、固定ピース１５を斜めからネジ２７で止める構造とすることにより、桟４の向きを変えて取り付けても容易にネジ２７でネジ止めできる。また、中子２は、中子受け部２８の壁部３０の内面３０ａと接触して回転不能になるものであればよく、例えば、図１０（ａ）（ｂ）のように、凹凸が連続する外周面を有するものでもよく、この場合でも、中子２の外周面の各凸部２ｂが中子受け部２８の壁部３０の内面３０ａにそれぞれ接触することで、中子２を回転不能に固定することが可能である。
【符号の説明】
【００１４】
１  上レール
２  中子
３  下金具
４  桟
５  幕板
１０  天井
１１  床
１６  下金具被取付部（被取付部）
１７  パネル
２０  連結材
２３  下レール
【図１】
0005779519.tif 000002
【図２】
0005779519.tif 000003
【図３】
0005779519.tif 000004
【図４】
0005779519.tif 000005
【図５】
0005779519.tif 000006
【図６】
0005779519.tif 000007
【図７】
0005779519.tif 000008
【図８】
0005779519.tif 000009
【図９】
0005779519.tif 000010
【図１０】
0005779519.tif 000011
【図１１】
0005779519.tif 000012